(57)【要約】【課題】筺体に衝撃が加わった際に、表示部への衝撃の影響を緩和すること。【解決手段】表示部の取付構造は、表示部を支える表示部ホルダー１５と、筐体と、板状部材２０と、板状部材２０から枝分かれしている枝分かれ部２５を有する。板状部材２０は内周部が表示部ホルダー１５に埋め込まれ、外周部が筐体に埋め込まれ、内周部と外周部との間には周状に延びる露出部２７を有する。表示部ホルダー１５および枝分かれ部２５はそれぞれ、互いに嵌合する表示部ホルダー嵌合部１６と枝分かれ部嵌合部２１を有し、枝分れ部２５は、板状部材２０との接続部２６と枝分かれ部嵌合部２１との間に撓み変形可能な衝撃吸収部２２を備えている。【選択図】図３
2012233991.tif 000002
【特許請求の範囲】
【請求項１】
表示部を支える表示部ホルダーと、
筐体と、
平面部を有し、該平面部の内周部が前記表示部ホルダーに埋め込まれ、外周部が前記筐体に埋め込まれ、前記内周部と前記外周部との間に周状に延びる露出部を有する板状部材と、
前記板状部材に前記露出部で接続された枝分かれ部と、
を有し、
前記表示部ホルダーおよび前記枝分かれ部はそれぞれ、互いに嵌合する表示部ホルダー嵌合部と枝分かれ部嵌合部を有し、
前記枝分かれ部は、前記板状部材との接続部と前記枝分かれ部嵌合部との間に撓み変形可能な衝撃吸収部を備えている、表示部の取付構造。
【請求項２】
前記衝撃吸収部が前記板状部材との接続部と前記枝分かれ部嵌合部との間で折れ曲がった帯状部を有する、請求項１に記載の表示部の取付構造。
【請求項３】
前記表示部ホルダー嵌合部が凸部を持ち、前記枝分かれ部嵌合部が前記凸部と嵌合する凹部を持つ、請求項１または２に記載の表示部の取付構造。
【請求項４】
前記表示部ホルダー嵌合部が凹部を持ち、前記枝分かれ部嵌合部が前記凹部と嵌合する凸部を持つ、請求項１または２に記載の表示部の取付構造。
【請求項５】
前記表示部ホルダーは長方形の底部と前記底部の周囲を延びる４つの側壁部とを有し、前記枝分かれ部嵌合部が前記４つの側壁部にそれぞれ２か所設けられている、請求項１から４のいずれか１項に記載の表示部の取付構造。
【請求項６】
前記表示部ホルダーは長方形の底部と前記底部の周囲を延びる４つの側壁部とを有し、前記枝分かれ部嵌合部が前記表示部ホルダーの長辺側の２つの前記側壁部にそれぞれ２か所、短辺側の２つの前記側壁部にそれぞれ１か所設けられている、請求項１から４のいずれか１項に記載の表示部の取付構造。
【請求項７】
表示部と、請求項１から６のいずれか１項に記載の表示部の取付構造と、を備えた電子機器。
【請求項８】
表示部と、前記表示部を支える表示部ホルダーと、筐体と、平面部を有し、該平面部の内周部が前記表示部ホルダーに埋め込まれ、外周部が前記筐体に埋め込まれ、前記内周部と前記外周部との間に周状に延びる露出部を有する板状部材と、前記板状部材に前記露出部で接続された枝分かれ部と、を有し、
前記表示部ホルダーおよび前記枝分かれ部はそれぞれ、互いに嵌合する表示部ホルダー嵌合部と枝分かれ部嵌合部を有する構造における衝撃吸収方法であって、
前記筐体に衝撃が加わった時に、前記枝分かれ部の、前記板状部材との接続部と前記枝分かれ部嵌合部との間に位置する撓み変形可能な衝撃吸収部で前記衝撃を吸収することを含む方法。
【発明の詳細な説明】
【技術分野】
【０００１】
本発明は、表示部の取付構造、電子機器及び衝撃吸収方法に関し、特に液晶パネルなどの表示部の筐体への取付構造に関する。
【背景技術】
【０００２】
携帯電話装置等において、小型化および薄型化が進む中、筐体への衝撃が表示部へ伝播することを防ぐ構造が、表示部の破損を防ぐためには望ましい。
【０００３】
本発明に関連する携帯電話装置等における表示部の筺体への取付構造を図１１〜１３に示す。図１１は、表示部と筺体の平面図、図１２は図１１のＤ−Ｄ'線に沿った断面図、図１３は図１２の部分１３０の拡大図である。筺体１２９は、表示部下側筐体１１４と、表示部下側筐体１１４に固定された表示部上側筐体１１３と、を有している。液晶パネルなどからなる表示部１１２は表示部ホルダー１１５に取り付けられている。金属製の板状部材１２０が表示部ホルダー１１５と表示部上側筐体１１３とに埋め込まれており、板状部材１２０を介して、表示部１１２を保持する表示部ホルダー１１５が筺体１２９に支持されている。表示部ホルダー１１５には表示部ホルダー嵌合部１１６が形成されており、表示部上側筐体１１３には表示部上側筐体嵌合部１１７が形成されている。表示部ホルダー嵌合部１１６と表示部上側筐体嵌合部１１７とが互いに爪嵌合することで、表示部１１２は筐体１２９に対して位置決めされている。
【０００４】
また、特許文献１には、保持壁と枠部と舌部とを有する表示器を保持するための表示器保持部品が開示されている。保持壁には、保持されるべき表示器の周縁部を覆って表示面を露出させる開口が形成されている。枠部は、被固定部と係止するための爪受け部を有する。舌部は、枠部の一部に形成され、保持壁の一方の面側との間に表示器を保持する空隙を形成するように開口と対向する位置まで延在されている。枠部と舌部は弾性部材により形成されている。
【０００５】
特許文献２には、板金をほぼ９０度に曲げることで形成され、その曲げられた先端が液晶パネルの平面方向にほぼ垂直な方向を向くよう配設された嵌合爪が開示されている。液晶パネルが固定された液晶ホルダーが筐体に装着された際、そのほぼ９０度に曲げられた先端が液晶ホルダーの嵌合凹部に嵌合することにより、例えば落下等による大きな衝撃が加わった場合であっても液晶パネルがその平面方向に対しほぼ垂直な方向へ外れてしまうことなく、板金部品である筐体で確実に保持することができる。
【０００６】
特許文献３には、表示パネルと表示パネルを駆動する駆動回路とを備えたパネルモジュールが、前面筐体と背面筐体とに挟持されている表示装置が開示されている。ここで、前面筐体は表示パネルの表示面側に位置し、背面筐体は表示パネルの背面側に位置する。パネルモジュールの側縁部近傍の背面上に緩衝部材が配置され、緩衝部材の表示パネル中心部側の端部が、表示パネルの表示領域の周囲を覆うエスカッション枠の表示パネル中心部側の端部よりもさらに表示パネル中心部側に位置している。緩衝部材の表示パネル中心部側はパネルモジュール背面との間に所定の間隔が形成されている。
【先行技術文献】
【特許文献】
【０００７】
【特許文献１】特開２００７−２９８５７５号公報
【特許文献２】特開２００９−１４５８２５号公報
【特許文献３】特開２０１０−２１０６８３号公報
【発明の概要】
【発明が解決しようとする課題】
【０００８】
本発明に関連した取付構造では、表示部が取り付けられた表示部ホルダーは、表示部ホルダーに設けられた表示部ホルダー嵌合部を表示部上側筐体に設けられた表示部上側筐体嵌合部に爪嵌合等することにより固定されており、筐体へ衝撃が加わった時、衝撃及び筐体の変形が表示部ホルダーへ伝わり、表示部の撓み変形を引き起こし、割れ・破損を生じる恐れがあった。
【０００９】
本発明では、筺体に衝撃が加わった際に、表示部への衝撃の影響を緩和することのできる表示部の取付構造及び衝撃吸収方法を提供することを目的とする。
【課題を解決するための手段】
【００１０】
かかる目的を達成するために、本発明の表示部の取付構造は、表示部を支える表示部ホルダーと、筐体と、板状部材と、板状部材から枝分かれしている枝分かれ部を有する。板状部材は内周部が表示部ホルダーに埋め込まれ、外周部が筐体に埋め込まれ、内周部と外周部との間には周状に延びる露出部を有する。
【００１１】
表示部ホルダーおよび枝分かれ部はそれぞれ、互いに嵌合する表示部ホルダー嵌合部と枝分かれ部嵌合部を有し、枝分れ部は、板状部材との接続部と枝分かれ部嵌合部との間に撓み変形可能な衝撃吸収部を備えている。
【００１２】
本発明の他の実施態様によれば、表示部の衝撃吸収方法は、表示部側ユニットは表示部と、表示部を支える表示部ホルダーと、筐体と、板状部材と、板状部材から枝分かれしている枝分かれ部とを有し、前記表示部ホルダーおよび前記枝分かれ部はそれぞれ、互いに嵌合する表示部ホルダー嵌合部と枝分かれ部嵌合部を有する構造における衝撃吸収方法であって、筐体に衝撃が加わった時に、枝分かれ部の、板状部材との接続部と枝分かれ部嵌合部との間に位置する撓み変形可能な衝撃吸収部で衝撃を吸収することを含んでいる。
【発明の効果】
【００１３】
本発明では、筺体に衝撃が加わった際に、表示部への衝撃の影響を緩和することのできる表示部の取付構造及び衝撃吸収方法を提供することができる。
【図面の簡単な説明】
【００１４】
【図１】本発明の第一の実施例の携帯電話装置等の表示部側ユニットの平面図である。
【図２】図１のＡ−Ａ’線でみた断面図である。
【図３】図２の嵌合部の拡大図である。
【図４】筐体へ衝撃が加わり、衝撃吸収部が撓んだ時の図２の嵌合部の拡大図である。
【図５】図３のうち主要な構成要素だけを示した図である。
【図６】本発明の第二の実施例の携帯電話装置等の表示部側ユニットの平面図である。
【図７】図６のＢ−Ｂ’線でみた断面図である。
【図８】本発明の第三の実施例の携帯電話装置等の表示部側ユニットの平面図である。
【図９】図８のＣ-Ｃ’線でみた断面図である。
【図１０】図９の嵌合部の拡大図である。
【図１１】本発明に関連した取付構造を持つ携帯電話装置等の表示部側ユニットの平面図である。
【図１２】図１１のＤ−Ｄ’線でみた断面図である。
【図１３】図１２の嵌合部の拡大図である。
【発明を実施するための形態】
【００１５】
以下、本発明の表示部の取付構造の実施形態について、図面を参照して説明する。本発明の適用可能な電子機器としては、携帯電話装置、ゲーム機、タブレット型パソコン、ノート型パソコンなどが考えられるが、以下では携帯電話装置、なかでも折り畳み式携帯電話、スライド式携帯電話など表示部側ユニットと操作ユニットが分離しているものの表示部側ユニットについて説明する。
【００１６】
図１は、表示パネル１２が筐体２９にはめ込まれた状態を示す表示部側ユニット１０の上面図を示している。図２は図１の線A−A'でみた断面図である。携帯電話装置は表示部側ユニット１０と不図示の操作ユニットとを有しており、図１，２は、そのうち表示部側ユニット１０のみを示している。
【００１７】
表示部側ユニット１０は、表示パネル１２と、表示部ホルダー１５と、筐体２９と、板状部材２０と、を有している。筐体２９は表示パネル１２を収納する上側筐体１３と、上側筐体１３を保持する下側筐体１４と、を有している。板状部材２０は金属板（板金）である。板状部材２０は、平面部２３と側壁部２４とからなり、側壁部２４は平面２３に対し９０度で折れ曲がっている。側壁部２４は筐体２９へ埋め込まれている。平面部２３は内周部１８が表示部ホルダー１５に埋め込まれ、外周部１９が筐体２９に埋め込まれ、内周部１８と外周部１９との間には周状に延びる露出部２７を有する。表示パネル１２は液晶パネルであるが、プラズマディスプレイパネル（ＰＤＰ）、有機または無機のＥＬ（Ｅｌｅｃｔｒｏ  Ｌｕｍｉｎｅｓｃｅｎｃｅ）パネルあるいはＦＥＤ（Ｆｉｅｌｄ  Ｅｍｉｓｓｉｏｎ  Ｄｉｓｐｌａｙ）パネル等でもよい。表示パネル１２は、上側筐体１３に保持された、保護用のスクリーン１１に覆われている。上側筐体１３及び下側筐体１４は樹脂材料で形成されており、互いに接着剤によって固定されている。
【００１８】
図３は、図２の断面図の部分３０の拡大図である。図３に示すように、表示部ホルダー１５の上側筐体１３への嵌合部周辺は表示部１２と、表示部１２を支える表示部ホルダー１５と、上側筐体１３と、板状部材２０と、板状部材２０からその露出部２７で枝分かれしている枝分かれ部２５を有する。表示部ホルダー１５および枝分かれ部２５はそれぞれ、互いに嵌合する表示部ホルダー嵌合部１６と枝分かれ部嵌合部２１を有している。表示部ホルダー嵌合部１６は凹部を持ち、枝分かれ部嵌合部２１はその凹部と嵌合する凸部を持っている。また、枝分かれ部２５は、板状部材２０との接続部２６と枝分かれ部嵌合部２１との間に撓み変形可能な衝撃吸収部２２を備えている。
【００１９】
表示パネル１２は樹脂製の表示部ホルダー１５に取り付けられている。表示部ホルダー１５には表示部ホルダー嵌合部１６が８つ備えられている。図１には枝分かれ部嵌合部２１を符号２１ａ〜２１ｈで示している。表示部ホルダー１５は長方形の底部１５ａとその底部の周囲を延びる４つの側壁部１５ｂとを有し、枝分かれ部嵌合部２１が４つの側壁部１５ｂにそれぞれ２か所設けられている。
衝撃吸収部２２は板状部材２０との接続部２６と枝分かれ部嵌合部２１との間で折れ曲がった帯状部を有する。上記のような構造では、筐体へ衝撃Ｐが加わった時、図４のように衝撃吸収部の軸方向が曲がることにより、弾性エネルギーを吸収することで、表示部への衝撃・変形の伝播を軽減し、破損などを防止する効果がある。図４には撓んだ時の衝撃吸収部３２と衝撃吸収部が撓んだ時の枝分かれ部３５が示されている。
【００２０】
図５は図３と同様に、図２の断面図の部分３０の拡大図であり、主要な構成要素だけを示している。これらの構成要素だけでも、筐体に衝撃が加わった時、衝撃吸収部が撓み、弾性エネルギーを吸収することで衝撃は吸収される。
【００２１】
図６は本発明の第２の実施形態を示す。図６は、表示部側ユニット１０が筐体２９にはめ込まれた様子の上面図を表している。ここで表示部側ユニット１０は直方体である。図７は図６の線B−B'でみた断面図である。表示パネル１２は樹脂製の表示部ホルダー１５に取り付けられており、表示部ホルダー１５には表示部ホルダー嵌合部１６が６つ備えられている。図６には枝分かれ部嵌合部２１を符号２１ａ〜２１ｅ，２１ｇで示している。表示部ホルダー１５は長方形の底部とその底部の周囲を延びる４つの側壁部とを有し、枝分かれ部嵌合部が長方形の底部の長辺側の２つの側壁部にそれぞれ２か所、短辺側の２つの側壁部にそれぞれ１か所設けられている。この場合でも表示部ホルダーと上側筐体との嵌合部の構造は基本的に変わらない。板状部材から枝分かれしている部分に設けられた衝撃吸収部が筐体へかかった衝撃を吸収する。
【００２２】
図８は本発明の第３の実施形態を示す。図８は、表示部側ユニット１０が筐体２９にはめ込まれた様子の上面図を表している。ここで表示部側ユニット１０は直方体である。図９は図８の線C−C'でみた断面図である。表示パネル１２は樹脂製の表示部ホルダー１５に取り付けられている。図１０は、図９の断面図の部分３０の拡大図である。図１０に示すように、表示部ホルダー１５の上側筐体１３への嵌合部周辺は表示部１２と、表示部１２を支える表示部ホルダー１５と、上側筐体１３と、板状部材２０と、板状部材２０から枝分かれしている枝分かれ部２５を有する。表示部ホルダー１５には表示部ホルダー嵌合部１６が８つ備えられている。図８には枝分かれ部嵌合部２１を符号２１ａ〜２１ｈで示している。図１０に示すように、表示部ホルダー１５は長方形の底部１５ａとその底部の周囲を延びる４つの側壁部１５ｂとを有し、枝分かれ部嵌合部が４つの側壁部１５ｂにそれぞれ２か所設けられている。表示部ホルダー１５および枝分かれ部２５はそれぞれ、互いに嵌合する表示部ホルダー嵌合部１６と枝分かれ部嵌合部２１を有し、表示部ホルダー嵌合部１６は凸型、枝分かれ部嵌合部２１は凹型の形状をしている。また、枝分かれ部２５は、板状部材２０との接続部２６と枝分かれ部嵌合部２１との間に撓み変形可能な衝撃吸収部２２を備えている。この場合でも表示部ホルダーと上側筐体との嵌合部の構造は基本的に変わらない。板状部材から枝分かれしている部分に設けられた衝撃吸収部が筐体へかかった衝撃を吸収する。
【００２３】
なお、上記の３つの実施形態において、表示部ホルダーには表示部ホルダー嵌合部が６つまたは８つ備えられている例を記したが、表示部ホルダー嵌合部の数は６や８に限られるものではなく、任意の数で可能である。
【符号の説明】
【００２４】
１０      表示部側ユニット
１２      表示部
１３      表示部上側筐体
１４      表示部下側筐体
１５      表示部ホルダー
１５ａ    表示部ホルダーの底部
１５ｂ    表示部ホルダーの側壁部
１６      表示部ホルダー嵌合部
１７      表示部上側筐体嵌合部
２０      板状部材
２１      枝分かれ部嵌合部
２２      衝撃吸収部
２３      板状部材平面部
２４      板状部材側壁部
２５      枝分かれ部
２６      枝分かれ部の板状部材との接続部
２７      板状部材の露出部
２９      筐体
３０      嵌合部
３２      撓んだ時の衝撃吸収部
３５      衝撃吸収部が撓んだ時の枝分かれ部
【図１】
2012233991.tif 000003
【図２】
2012233991.tif 000004
【図３】
2012233991.tif 000005
【図４】
2012233991.tif 000006
【図５】
2012233991.tif 000007
【図６】
2012233991.tif 000008
【図７】
2012233991.tif 000009
【図８】
2012233991.tif 000010
【図９】
2012233991.tif 000011
【図１０】
2012233991.tif 000012
【図１１】
2012233991.tif 000013
【図１２】
2012233991.tif 000014
【図１３】
2012233991.tif 000015